(57)【要約】本発明は、ディスクの第一のトラックから第二のトラックへの光ピックアップ機器（２２０）の光ビーム（２２１）のジャンプを実行するトラック・ジャンプ・ユニット及び方法に関する。半径方向誤り信号が検出されると、この半径方向誤り信号から拡張半径誤り信号（ＥＲＥ）が導かれる。この拡張半径方向誤り信号は、半径方向誤り信号に関連付けられたトラック識別子を有する部分を含む単調な信号である。現在のトラック識別子（ＩＤ）の値と拡張半径方向誤り信号に基づいて、移動信号が生成され、光ビームを移動させる。ジャンプを実行するのに、現在の識別子を修正し、光ビームを所望のトラックへ移動させる。
2005537600.tif 000002
【特許請求の範囲】
【請求項１】
ディスクの第一のトラックから第二のトラックへの光ピックアップ機器の光ビームのジャンプを実行するトラック・ジャンプ・ユニットであって、
移動信号によって制御され、前記光ビームを移動させる移動手段と、
前記ディスクに前記光ピックアップ機器からの光ビームが供給されたときに該ディスクから反射された光ビームを検出し、反射光ビーム信号を生成する反射光ビーム検出手段と、
少なくとも１つの反射光ビーム信号が供給されたときに、少なくとも前記第一のトラックに対応した部分を有する半径方向誤り信号を生成する半径方向誤り検出手段と、
少なくとも現在のトラック識別子を前記第一のトラックに関連付ける計数手段と、
前記半径方向誤り信号が供給されたときに、該半径方向誤り信号の少なくとも一部に基づく単調な信号であって、該半径方向誤り信号に関連付けられたトラック識別子を有する部分を含む拡張半径方向誤り信号を演算する拡張半径方向誤り演算手段と、
前記拡張半径方向誤り信号及び現在のトラック識別子によって制御され、前記移動信号を生成する生成手段とを有し、
前記第一のトラックから前記第二のトラックへのジャンプは、前記現在のトラック識別子を修正することによって実行される、ことを特徴とするトラック・ジャンプ・ユニット。
【請求項２】
ディスクの第一のトラックから第二のトラックへの光ピックアップ機器の光ビームのジャンプを実行する方法であって、
前記ディスクに前記光ピックアップ機器からの光ビームが供給されたときに該ディスクから反射された光ビームを検出し、反射光ビーム信号を生成する工程と、
少なくとも１つの反射光ビーム信号から少なくとも前記第一のトラックに対応した部分を有する半径方向誤り信号を生成する工程と、
少なくとも現在のトラック識別子を前記第一のトラックに関連付ける工程と、
前記半径方向誤り信号から、該半径方向誤り信号の少なくとも一部に基づく単調な信号であって、該半径方向誤り信号に関連付けられたトラック識別子を有する部分を含む拡張半径方向誤り信号を演算する工程と、
前記拡張半径方向誤り信号及び現在のトラック識別子を前記光ビームを移動させる移動手段へ供給する工程と、
前記現在のトラック識別子を修正することによって前記第一のトラックから前記第二のトラックへのジャンプを実行する工程と、を有することを特徴とする方法。
【請求項３】
ディスクのあるトラックから所望のトラックまでの光ピックアップ機器の光ビームのジャンプを実行する方法であって、
前記所望のトラックに到達するまで、１トラックずつジャンプし、
これらジャンプの各々は、請求項２記載の方法に従って実行される、ことを特徴とする方法。
【請求項４】
光ディスクからデータ読み出す及び／又は光ディスクにデータを記録する光ディスク装置であって、
請求項１記載のトラック・ジャンプ・ユニットを有することを特徴とする光ディスク装置。
【請求項５】
命令群を含むコンピュータ・プログラムであって、
前記命令群は、プロセッサ又はコンピュータ内にロードされたとき、該プロセッサ又はコンピュータに請求項２記載のジャンプ実行方法を実行させる、ことを特徴とするコンピュータ・プログラム。
【発明の詳細な説明】
【技術分野】
【０００１】
本発明は、光ピックアップ機器によるディスクのあるトラックから別のトラックへの光ビームのジャンプを実行するトラック・ジャンプ・ユニットに関する。
【０００２】
また、本発明は、光ピックアップ機器によるディスクのあるトラックから別のトラックへの光ビームのジャンプを実行する方法にも関する。
【０００３】
本発明は、特に、例えばＣＤやＤＶＤのプレーヤやレコーダなどの光ディスクからデータを読み出す及び／又はそのような光ディスクへデータを記録する光ディスク装置に関する。
【背景技術】
【０００４】
ディスク上に記録されたデータを読み出す及び／又はディスク上にデータを記録する従来の光ディスク装置を図１に示す。
【０００５】
図１は、光ディスク装置の全体構成を示すブロック図である。この光ディスク装置は、ディスク１００へ光ビーム１０２を送ること及びディスク１００から光ビーム１０２を受けることができる光ピックアップ機器（ＯＰＵ）１０１を有する。この光ディスク装置は、更に、移動信号ＤＳが供給されたときに、光ピックアップ機器１０１を移動させることができるアクチュエータ（ＡＣＴ）１０３を有する。プロセッサ（Ｒ／Ｗ）１０４は、ディスクから反射された光ビームを処理してそのディスクからデータを読み出すか、又は、ディスクへ送られる光ビームを制御してそのディスク上へデータを書き込む。
【０００６】
ディスク１００は、複数のトラックを有する。トラック上には読み出されるためのデータが書き込まれる。データがディスクから読み出されるとき、光ビーム１０２は、所定のトラックの中心に留まっている必要がある。プロセッサ１０４が光ビーム１０２が所定のトラックの中心にないことを検出すると、移動信号ＤＳがアクチュエータ１０３に送られ、アクチュエータ１０３が光ピックアップ機器１０１を移動させて光ビーム１０２がそのトラックの中心に保持されるようにする。このオペレーションは、「トラッキング」と呼ばれる。トラッキング制御ループは、ディスクから反射された光ビームに基づいて、光ビーム１０２を所定のトラックの中心に保持することができる。
【０００７】
また、アクチュエータ１０３は、あるトラックから数トラック離れた別のトラックへの小さいジャンプを実行するのにも用いることができる。このオペレーションは、「ジャンピング」と呼ばれる。ジャンピング制御ループを用いて移動信号ＤＳを供給し、アクチュエータ１０３を移動させることができるため、光ビームはあるトラックから所望のトラックへ移動する。ジャンピング動作が実行されると、アクチュエータ１０３は、まずトラック上を所定の速度で移動する。カウンタは、反射された光ビームに基づいて、光ビームが通過したトラック数をカウントする。ある決まった時間期間内に通過したトラック数を監視することによって、速度が測定される。こうして１秒あたりに通過するトラック数が判ると、アクチュエータは所望のトラックに到達するのにちょうどの時間だけ動かされる。
【発明の開示】
【発明が解決しようとする課題】
【０００８】
しかし、このようなジャンピング・オペレーションは、正確な速度の測定が可能な場合しか実行することができない。その結果、このジャンピング・オペレーションは、少ないトラック数のジャンピングに対しては実行できない。なぜなら、正確な速度の測定には、ある程度の数のトラックを通過しなければならないからである。よって、例えば５トラック分などの少ないトラック数のジャンプを実行したい場合、このようなジャンピング・オペレーションは光ビームの不正確な配置を招く。
【０００９】
さらに、トラッキングとジャンピングとに２つの異なる制御ループが用いられるため、トラッキング・オペレーションからジャンピング・オペレーションへ切り替えるときに過渡現象が現れる可能性がある。これら過渡現象の間、光ビームは間違った方向へ移動する可能性がある。これは、光ビームの不正確な配置やジャンプの実行に掛かる時間の長期化を招く。
【００１０】
本発明の目的は、上述の問題が解消され、数トラックのジャンプを正確に実行できるトラック・ジャンプ・ユニットを提供することである。
【課題を解決するための手段】
【００１１】
本発明によれば、ディスクの第一のトラックから第二のトラックへの光ピックアップ機器の光ビームのジャンプを実行するトラック・ジャンプ・ユニットであって、
移動信号によって制御され、上記光ビームを移動させる移動手段と、
上記ディスクに上記光ピックアップ機器からの光ビームが供給されたときに該ディスクから反射された光ビームを検出し、反射光ビーム信号を生成する反射光ビーム検出手段と、
少なくとも１つの反射光ビーム信号が供給されたときに、少なくとも上記第一のトラックに対応した部分を有する半径方向誤り信号を生成する半径方向誤り検出手段と、
少なくとも現在のトラック識別子を上記第一のトラックに関連付ける計数手段と、
上記半径方向誤り信号が供給されたときに、該半径方向誤り信号の少なくとも一部に基づく単調な信号であって、該半径方向誤り信号に関連付けられたトラック識別子を有する部分を含む拡張半径方向誤り信号を演算する拡張半径方向誤り演算手段と、
上記拡張半径方向誤り信号及び現在のトラック識別子によって制御され、上記移動信号を生成する生成手段とを有し、
上記第一のトラックから上記第二のトラックへのジャンプは、上記現在のトラック識別子を修正することによって実行される、ことを特徴とするトラック・ジャンプ・ユニット、が提供される。
【００１２】
本発明によれば、移動手段を制御する移動信号が、拡張半径方向誤り信号及びトラック識別子に基づいて、生成される。拡張半径方向誤り信号は、反射光ビームから導かれるため、トラッキング中に演算することができる。したがって、１つの制御ループをトラッキング用とジャンピング用とに用いることができる。これにより、過渡現象が除去される。
【００１３】
さらに、ジャンプはトラック識別子を修正することによって実行されるため、速度測定は不要である。したがって、上記トラック・ジャンプ・ユニットを用いれば、例えばあるトラックからすぐ隣りのトラックへのジャンプなどの小さいなジャンプを実行することができる。
【００１４】
好ましい実施形態において、あるトラックから所望のトラックまでのジャンプは、該所望のトラックに到達するまで、現在のトラック識別子を修正することによる１トラックずつのジャンプを繰り返すことによって実行される。
【００１５】
この好ましい実施形態によれば、必要となる識別子が少なくて済む。
【００１６】
また、本発明は、上記トラック・ジャンプ・ユニットによって実行されるジャンプ実行方法にも関する。
【００１７】
また、本発明は、プロセッサ又はコンピュータ内にロードされたとき、該プロセッサ又はコンピュータに上記方法を実行させる命令群を含むコンピュータ・プログラムにも関する。
【００１８】
本発明の上記及び他の態様について、以下の実施形態を参照して説明する。
【発明を実施するための最良の形態】
【００１９】
以下、添付図面を参照して、本発明の一例を詳細に説明する。
【実施例】
【００２０】
本発明に係るトラック・ジャンプ・ユニットを図２に示す。このトラック・ジャンプ・ユニットは、光ピックアップ機器（ＯＰＵ）２０１、移動手段（ＤＩＳＰＬ）２０２、反射光ビーム検出手段（ＤＥＴ）２０３、半径方向誤り検出手段（ＲＡＤ  ＥＲＲ）２０４、計数手段（ＣＯＵＮＴ）２０５、拡張半径方向誤り演算手段（ＥＸＴ  ＲＡＤ  ＥＲＲ）２０６、及び、生成手段（ＤＳ  ＧＥＮ）２０７を有する。
【００２１】
光ビーム２２１は、ディスク（ＤＩＳＣ）２１１へ送られる。次いで、反射光ビームは、反射光ビーム検出手段２０３によって検出され、反射光ビーム信号２３１が生成される。反射光ビーム信号２３１は、半径方向誤り検出手段２０４へ送られ、図３及び４において詳述する半径方向誤り信号２３２が生成される。光ビーム２２１があるトラック上に位置するとき、計数手段２０５は、現在のトラック識別子２３４を当該トラックに関連付ける。
【００２２】
半径方向誤り信号２３２に基づいて、拡張半径方向誤り演算手段２０６は、図５において詳述する拡張半径方向誤り信号２３３を演算する。この拡張半径方向誤り信号２３３は、図６において詳述するように、関連付けられたトラック識別子を有する部分を含む。拡張半径方向誤り信号２３３及び現在のトラック識別子２３４は、生成手段２０７へ送られ、図７において詳述する光ビーム２２１の位置を制御する移動信号２３５が生成される。
【００２３】
図３ａ〜３ｃは、ディスク構造及び半径方向誤り信号を検出するのに用いられる信号を示している。ディスクは、データが書き込まれる複数のトラックを有する。例えば、ＤＶＤの１トラックには１ビデオの１画像が含まれ、ＤＶＤには４５，０００トラックが含まれる。トラックは、ピット（くぼみ）部とランド（隆起）部とを含む。トラックＴ１〜Ｔ３が示された図３において、ピット部は長方形で示されている。
【００２４】
光ビームがピット部に入射したときには反射光ビーム信号は低く、光ビームがランド部に入射したときには高い。この特性は、後述のように、ディスク上へのディジタル・データの書き込み及びディスクからのディジタル・データの読み出しに用いられる。ディスク回転中に光ビーム（例えば、図３の主光ビームＳ）がトラック（例えばＴ２）に入射すると、この主光ビームＳは、まずピット部に入射し、次にランド部に入射し、次にピット部に入射し・・・と続く。よって、光ダイオードによって検出可能な反射光ビーム信号も変化する。これら変化は、ディスク上に書き込まれた「１」及び「０」を検出するのに用いられる。例えば、「１」は、ピット部とランド部との間での移行中に検出することができる。
【００２５】
また、ピット部及びランド部の特性は、トラッキング・オペレーションに用いることができる半径方向誤り信号を検出するのにも用いられる。半径方向誤り信号を検出するためには、主光ビームＳに対して左右対称に配置された２つの二次光ビームＳ１及びＳ２が用いられる。
【００２６】
図３ｂにおいて、主光ビームＳはトラックＴ２に入射している。したがって、二次光ビームＳ１及びＳ２はトラックから外れており（オフ・トラック）、Ｓ１及びＳ２に対応する反射光ビーム信号は高く、等しい。半径方向誤り信号は、Ｓ１及びＳ２に対応する反射光ビーム信号間の差を計算することによって検出されるため、主光ビームがトラック上にある（オン・トラック）ときはゼロである。
【００２７】
図３ａにおいて、主光ビームＳはトラックＴ２の左側にほぼオフ・トラックであり、第一の二次光ビームＳ１はほぼオン・トラックであり、第二の二次信号Ｓ２はオフ・トラックである。したがって、半径方向誤り信号は負である。
【００２８】
図３ｃにおいて、主光ビームＳはほぼオフ・トラックであり、第一の二次光ビームＳ１はオフ・トラックであり、第二の二次信号Ｓ２はほぼオン・トラックである。したがって、半径方向誤り信号は正である。
【００２９】
トラッキング中、半径方向誤り信号は、主光ビームＳを移動させるための移動信号を移動手段へ送るのに用いられる。半径方向誤り信号がゼロのとき、主光ビームＳはオン・トラックであり、移動信号は移動手段へ送られない。半径方向誤り信号が負のとき、移動信号が生成され、半径方向誤り信号がゼロになるまで主光ビームが右へ動かされる。半径方向誤り信号が正のとき、移動信号が生成され、半径方向誤り信号がゼロになるまで主光ビームが左へ動かされる。ここで、移動手段とは、例えば、図１のアクチュエータ１０３である。
【００３０】
図４は、ディスク横断面及び本発明に係るトラック・ジャンプ・ユニットによって検出される信号を示している。上から順に、ディスク横断面、中央アパーチャ信号ＣＡ、半径方向誤り信号ＲＥ、半径方向極性信号ＲＰ、及び、トラック損失信号ＴＬが示されている。
【００３１】
中央アパーチャ信号ＣＡは、図３の主光ビームＳに対応する反射光ビーム信号の代替部分である。主光ビームが例えばトラックＴ１、Ｔ２、又はＴ３上にオン・トラックのとき、中央アパーチャ信号ＣＡは最小となる。なぜなら、トラックはピット部を含むからである。主光ビームがオフ・トラックのとき、中央アパーチャ信号ＣＡは最大となる。なぜなら、ディスクのオフ・トラック部分にはランド部しかないからである。オフ・トラックとオン・トラックとの間の移行は、中央アパーチャ信号がゼロを通る。
【００３２】
半径方向誤り信号ＲＥは、主光ビームＳがオフ・トラック部分とトラックとの間の移行中に最大となり、主光ビームＳがトラックの中心にあるときにゼロとなり、主光ビームＳがトラックとオフ・トラック部分との間の移行中に最小となり、主光ビームＳがオフ・トラック部分の中心にあるときにゼロとなる。
【００３３】
半径方向極性信号ＲＰは、半径方向誤り信号ＲＥをディジタル化することによって得られ、トラック損失信号ＴＬは、中央アパーチャ信号ＣＡをディジタル化することによって得られる。
【００３４】
図５は、半径方向誤り信号ＲＥからどのようにして拡張半径方向誤り信号ＥＲＥを導くかを示している。本例では、トラックＴ２に着目する。すなわち、主光ビームＳがトラックＴ２に入射しているものとする。
【００３５】
半径方向誤り信号ＲＥのうちトラックＴ２に対応する部分を拡張半径方向誤り信号ＥＲＥの基礎とする。次いで、半径方向誤り信号ＲＥのうちトラックＴ２とＴ３の間のオフ・トラック部分に対応した部分を反転させ、この反転部分の振幅に対応したオフセットが拡張半径方向誤り信号ＥＲＥに加えられる。次いで、半径方向誤り信号ＲＥのうちトラックＴ３に対応する部分の振幅に対応したオフセットが拡張半径方向誤り信号ＥＲＥに加えられる。トラックＴ２の反対側では、半径方向誤り信号ＲＥのうちトラックＴ２とＴ１の間のオフ・トラック部分に対応した部分が反転され、この反転部分の振幅に対応したオフセットが拡張半径方向誤り信号ＥＲＥに加えられる。次いで、半径方向誤り信号ＲＥのうちトラックＴ１に対応した部分の振幅に対応したオフセットが拡張半径方向誤り信号ＥＲＥに加えられる。このようにして、反転されたり、シフトされたりした半径方向誤り信号ＲＥの様々な部分を含む単調な信号が得られる。
【００３６】
換言すれば、半径方向誤り信号ＲＥのうち拡張半径方向誤り信号ＥＲＥを得るために反転及びシフトされた部分は、半径方向誤り信号ＲＥのうちディスクのオフ・トラック部分に対応した部分である。これらディスクのオフ・トラック部分は、トラック損失信号ＴＬがハイ状態のときに容易に検出することができる。半径方向誤り信号ＲＥのうち拡張半径方向誤り信号ＥＲＥを得るためにシフトのみされた部分は、半径方向誤り信号ＲＥのうちオン・トラック部分に対応した部分である。これらオン・トラック部分は、ロー状態のトラック損失信号ＴＬに対応している。
【００３７】
半径方向誤り信号ＲＥ全体が利用可能であるということはあり得ないことに気が付くことは重要である。実際、半径方向誤り信号ＲＥは、検討中のトラック（すなわち、上記例ではトラックＴ２）についてのみ検出されるかもしれない。この場合、拡張半径方向誤り信号ＥＲＥは、以下のようにして計算することができる。
【００３８】
半径方向誤り信号ＲＥのうちトラックＴ２に対応した部分が、拡張半径方向誤り信号ＥＲＥの基礎とされる。次いで、当該部分に対応したオフセットが、拡張半径方向誤り信号ＥＲＥの両側に加えられる。以下、同様。換言すれば、拡張半径方向誤り信号ＥＲＥは、半径方向誤り信号ＲＥのうち検討中のトラックに対応した部分の振幅に等しい振幅を有する部分を含んだ単調な信号である。
【００３９】
拡張半径方向誤り信号ＥＲＥを用いることの利点は以下の通りである。半径方向誤りＲＥが値ｘを有するとき、トラッキング制御ループは、主光ビームＳがポイントＡ上にあるか又はポイントＢ上にあるか知る術がない。したがって、トラッキングは信頼性が低い。例えば、光ビームがトラックＴ２の中心からポイントＡへの所望でないジャンプをしたものとする。半径方向誤り信号ＲＥがトラッキング制御ループの入力として用いられる場合、このループは主光ビームがポイントＢにあるかのように反応し、半径方向誤り信号ＲＥの値がゼロとなるまで主光ビームを左へ動かす信号を生成する。すると、主光ビームは、トラックＴ２の中心の代わりに、トラックＴ１の中心に来る。
【００４０】
しかし、拡張半径方向誤り信号ＥＲＥがトラッキング制御ループの入力として用いられているため、拡張半径方向誤り信号ＥＲＥの値は、主光ビームがポイントＡ又はポイントＢにあるときとは異なる。光ビームがトラックＴ２の中心からポイントＡへ所望でないジャンプをしたものとすると、拡張半径方向誤り信号ＥＲＥは正の値ｙを採り、トラッキング制御ループは、拡張半径方向誤り信号ＥＲＥの値がゼロとなるまで主光ビームを右へ移動させるための信号を生成する。主光ビームがトラックＴ２の中心からポイントＢへシフトした場合、拡張半径方向誤り信号ＥＲＥは負の値ｚを採り、トラッキング制御ループは、拡張半径方向誤り信号ＥＲＥの値がゼロとなるまで主光ビームを左へ移動させるための信号を生成する。
【００４１】
図６は、トラック識別子（ＩＤ）がどのようにして拡張半径方向誤り信号ＥＲＥの一部分を関連付けられるかを示している。本例では、トラックＴ２に着目する。すなわち、主光ビームＳがトラックＴ２に入射しているものとする。現在のトラック識別子は、トラックＴ２に関連付けられている。本例において、この識別子は０に等しい。次いで、光ビームが半径方向を右へ移動すると、識別子は、トラック損失信号ＴＬがハイ状態からロー状態への移行又はロー状態からハイ状態への移行を示すたびに、インクリメントされる。光ビームが半径方向を左へ移動すると、識別子は、上記のような移行を示すたびに、デクリメントされる。よって、トラックＴ２に関連付けられた識別子は０であり、トラックＴ１又は拡張半径方向誤り信号ＥＲＥのうちトラックＴ１に対応した部分に関連付けられた識別子は−２であり、トラックＴ３に関連付けられた識別子は２である。
【００４２】
半径方向誤り信号ＲＥのうち着目しているトラックに対応した部分のみが検出された場合、トラック識別子は例えば以下のようにして決定できる。着目しているトラックに対応した半径方向誤り信号ＲＥの一方の側にオフセットが加えられて拡張半径方向誤り信号ＥＲＥが計算されるとき、識別子はインクリメントされる。着目しているトラックに対応した半径方向誤り信号ＲＥの他方の側にオフセットが加えられるとき、識別子はデクリメントされる。
【００４３】
図７は、本発明に係るジャンプがどのように実行されるのかを示している。現在のトラック識別子及び拡張半径方向誤り信号ＥＲＥが生成手段に送られる。現在のトラック識別子は、拡張半径方向誤り信号ＥＲＥのうち生成手段が用いるべきはいずれの部分であるかを示している。例えば、現在のトラック識別子が０に等しい場合、拡張半径方向誤り信号ＥＲＥのうち生成手段がトラッキングのために用いるべき部分は値０を通る部分である。
【００４４】
光ビームがトラックＴ２に入射しており、トラックＴ２からトラックＴ３へのジャンプの実行が望まれているものとする。このようなジャンプは、生成手段へ送られる現在の識別子の値を修正することによって、実行される。実際に、識別子０の代わりに、値−２が生成手段へ送られるものとすると、生成手段によって用いられる部分は、値ｘ１を通る部分、すなわちトラックＴ１に対応した部分、となる。よって、拡張半径方向誤り信号ＥＲＥの値はｘ１となる。このようにして生成手段は信号を生成し、拡張半径方向誤り信号ＥＲＥの値がゼロとなるまで光ビームを右へ移動させて、現在の識別子を０に戻す。しかし、光ビームが実際にはトラックＴ２の中心Ｍ２にあって、トラックＴ１の中心Ｍ１にはないため、このような移動は光ビームをトラックＴ３の中心Ｍ３へ持って行くことになる。こうして、トラックＴ２からトラックＴ３へのジャンプが完了する。
【００４５】
トラックＴ２からトラックＴ１へのジャンプを実行するには、現在の識別子０の代わりに識別子２を生成手段へ送ればよい。
【００４６】
以上、あるトラックからすぐ隣りのトラックへのジャンプの一例を説明したが、本発明によればより長いジャンプも実行可能であることに気が付くことは重要である。例えば、トラックＴ２から右へ２トラック離れたトラックへのジャンプを実行する場合、現在の識別子０の代わりに、識別子−４を生成手段へ送ればよい。
【００４７】
図８は、本発明の好ましい実施形態に係るジャンプを示している。
【００４８】
ステップ８０１において、現在のトラック（ＴＲ０）から右へＮトラック離れたトラック（ＴＲＮ）へのジャンプが開始される。ここで、Ｎは整数であり、例えばＮ＝１０である。ステップ８０２において、生成手段へ送られる識別子（ＩＤ）が修正され、値−２が生成手段へ送られる。図７で説明したように、これにより、現在のトラックからすぐ右隣りのトラックへジャンプし、識別子は０に戻る。これと並行して、ステップ８０３において、カウンタ（Ｃ）がインクリメントされる（Ｃ＝Ｃ＋１）。ステップ８０４において、１トラック・ジャンプが完了すると、すなわち識別子が０に戻る（ＩＤ＝０）と、ステップ８０７において、カウンタがＮに等しいか否かを確認する。カウンタがＮに等しくなければ、ここまでのステップがステップ８０２から繰り返される。ステップ８０７において、カウンタがＮに等しい（Ｃ＝Ｎ））と、トラックＮへのジャンプが完了する。
【００４９】
本発明に係るジャンプを実行する方法は、ＣＤやＤＶＤのプレーヤやレコーダなどの光ディスク装置に内蔵されることが意図された集積回路において実施することができる。プログラム・メモリ内へロードされる命令群により、この集積回路は本ジャンプ実行方法を実行する。これら命令群は、例えば、ディスクなどのデータ・キャリア上に記憶される。また、これら命令群は、このデータ・キャリアから読み出され、集積回路のプログラム・メモリ内へロードされ、役割を遂行する。
【図面の簡単な説明】
【００５０】
【図１】従来技術に係る光ディスク装置の全体構造を示す図である。
【図２】本発明に係るトラック・ジャンプ・ユニットを示すブロック図である。
【図３】図２のトラック・ジャンプ・ユニットによる半径方向誤り信号を検出するのに用いられるディスク構造及び光ビームを示す図である。
【図４】図２のトラック・ジャンプ・ユニットによって検出される信号を示す図である。
【図５】図４の半径方向誤り信号から導かれる拡張半径方向誤り信号を示す図である。
【図６】トラック識別子を示す図である。
【図７】本発明に従って実行される１トラック分のジャンプを示す図である。
【図８】本発明の好ましい実施形態に従って実行される数トラック分のジャンプを示す図である。
【図１】
2005537600.tif 000003
【図２】
2005537600.tif 000004
2005537600.tif 000005
【図４】
2005537600.tif 000006
【図５】
2005537600.tif 000007
【図６】
2005537600.tif 000008
【図７】
2005537600.tif 000009
【図８】
2005537600.tif 000010
【国際調査報告】
2005537600.tif 000011
2005537600.tif 000012